(57)【要約】【課題】複数の無線通信方式の間の干渉を防止することができる、制御装置、無線通信装置、使用チャネル決定方法、及び制御プログラムを提供する。【解決手段】制御部（制御装置）１４において、形成部１４Ｂは、取得部１４Ａで取得された情報に基づいて、「複数の仮想チャネル」と「複数の第２無線チャネル」との「対応関係」を形成する。「複数の仮想チャネル」は、複数の第２無線チャネルのうちの複数の第１無線チャネルと重なる重畳チャネルを複数の第２無線チャネルから除いた複数の非重畳チャネルを、所定の周波数帯から重畳チャネルの周波数帯を除いた仮想帯域に分散させた、複数のチャネルである。ホッピングパタン算出部１４Ｃは、「複数の仮想チャネル」のうちで「使用仮想チャネル」を選択するための「仮想帯域における周波数ホッピングパタン」を、「パタン決定パラメータ」に基づいて算出する。【選択図】図１
2019153990.tif 000002
【特許請求の範囲】
【請求項１】
第１無線通信方式に対応し、且つ、所定の周波数帯に含まれる複数の第１無線チャネルのうちでホッピングさせた第１使用チャネルを用いて無線通信する第１無線部と、第２無線通信方式に対応し且つ第２使用チャネルを用いて無線通信する第２無線部と、を具備する無線通信装置における、前記第２使用チャネルを決定する制御装置であって、
前記複数の第１無線チャネルに関する情報、及び、前記第２無線通信方式に対応し且つ前記所定の周波数帯に含まれる複数の第２無線チャネルに関する情報を取得する取得部と、
前記取得部によって取得された情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成する形成部と、
前記複数の仮想チャネルのうちで使用仮想チャネルを選択する周波数ホッピングパタンを、パタン決定パラメータに基づいて算出するホッピングパタン算出部と、
前記算出された周波数ホッピングパタンと前記形成された対応関係とに基づいて、前記第２使用チャネルを決定する使用チャネル決定部と、
を具備する制御装置。
【請求項２】
前記第１無線部に対して、コンテンツを識別するコンテンツ識別情報を送信させ、且つ、前記送信されたコンテンツ識別情報を受信した他の無線通信装置から送信された、前記パタン決定パラメータについての取得要求を、前記第１無線部を介して受信した場合、前記他の無線通信装置に前記周波数ホッピングパタンを算出させるために、前記第１無線部に対して、前記パタン決定パラメータを送信させる、通信制御部、をさらに具備する、
請求項１記載の制御装置。
【請求項３】
前記通信制御部は、前記他の無線通信装置から前記周波数ホッピングパタンに基づく前記第２使用チャネルを用いて送信された、コンテンツ識別情報を含むコンテンツ取得要求を、前記第２無線部を介して受信した場合、前記コンテンツ取得要求に含まれるコンテンツ識別情報に対応するコンテンツのデータを、前記第２無線部に対して送信させる、
請求項２記載の制御装置。
【請求項４】
前記パタン決定パラメータは、前記無線通信装置の識別情報又はクロック数である、
請求項１から３のいずれか１項に記載の制御装置。
【請求項５】
コンテンツを識別するコンテンツ識別情報を、前記第１無線部を介して受信した場合、前記第１無線部に対して、前記コンテンツ識別情報の送信元通信装置に対する、前記パタン決定パラメータについての取得要求を送信させる、通信制御部をさらに具備し、
前記ホッピングパタン算出部は、前記取得要求に応じて前記送信元通信装置から送信されたパタン決定パラメータに基づいて、前記周波数ホッピングパタンを算出する、
請求項１記載の制御装置。
【請求項６】
前記通信制御部は、前記コンテンツ識別情報を含むコンテンツ取得要求を、前記第２無線部に対して、前記決定された第２使用チャネルを用いて送信させる、
請求項５記載の制御装置。
【請求項７】
前記パタン決定パラメータは、前記送信元通信装置の識別情報又はクロック数である、
請求項５又は６に記載の制御装置。
【請求項８】
第１無線通信方式に対応し、且つ、所定の周波数帯に含まれる複数の第１無線チャネルのうちでホッピングさせた第１使用チャネルを用いて無線通信する第１無線部と、
第２無線通信方式に対応し且つ第２使用チャネルを用いて無線通信する第２無線部と、
前記複数の第１無線チャネルに関する情報、及び、前記第２無線通信方式に対応し且つ前記所定の周波数帯に含まれる複数の第２無線チャネルに関する情報を記憶する記憶部と、
前記記憶部に記憶されている情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成する形成部と、
前記複数の仮想チャネルのうちで使用仮想チャネルを選択する周波数ホッピングパタンを、パタン決定パラメータに基づいて算出するホッピングパタン算出部と、
前記算出された周波数ホッピングパタンと前記対応関係とに基づいて、前記第２使用チャネルを決定する使用チャネル決定部と、
を具備する無線通信装置。
【請求項９】
第１無線通信方式に対応し、且つ、所定の周波数帯に含まれる複数の第１無線チャネルのうちでホッピングさせた第１使用チャネルを用いて無線通信する第１無線部と、第２無線通信方式に対応し且つ第２使用チャネルを用いて無線通信する第２無線部と、を具備する無線通信装置における、前記第２使用チャネルを決定する制御装置によって実行される、使用チャネル決定方法であって、
前記複数の第１無線チャネルに関する情報、及び、前記第２無線通信方式に対応し且つ前記所定の周波数帯に含まれる複数の第２無線チャネルに関する情報を取得し、
前記取得された情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成し、
前記複数の仮想チャネルのうちで使用仮想チャネルを選択する周波数ホッピングパタンを、パタン決定パラメータに基づいて算出し、
前記算出された周波数ホッピングパタンと前記形成された対応関係とに基づいて、前記第２使用チャネルを決定する、
使用チャネル決定方法。
【請求項１０】
第１無線通信方式に対応し、且つ、所定の周波数帯に含まれる複数の第１無線チャネルのうちでホッピングさせた第１使用チャネルを用いて無線通信する第１無線部と、第２無線通信方式に対応し且つ第２使用チャネルを用いて無線通信する第２無線部と、を具備する無線通信装置における、前記第２使用チャネルを決定する制御装置に、
前記複数の第１無線チャネルに関する情報、及び、前記第２無線通信方式に対応し且つ前記所定の周波数帯に含まれる複数の第２無線チャネルに関する情報を取得し、
前記取得された情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成し、
前記複数の仮想チャネルのうちで使用仮想チャネルを選択する周波数ホッピングパタンを、パタン決定パラメータに基づいて算出し、
前記算出された周波数ホッピングパタンと前記形成された対応関係とに基づいて、前記第２使用チャネルを決定する、
処理を、実行させる制御プログラム。
【発明の詳細な説明】
【技術分野】
【０００１】
本開示は、制御装置、無線通信装置、使用チャネル決定方法、及び制御プログラムに関する。
【背景技術】
【０００２】
複数の無線通信方式に対応した無線通信装置が存在する。特許文献１では、第１の通信の周波数ホッピングパタンと周波数ホッピングパタンが異なる第２の通信に対して、事前登録されたホッピングパタンのうち、第１の通信と干渉しないチャネルを使ったホッピングパタンを適用して、干渉を避ける技術が開示されている。
【先行技術文献】
【特許文献】
【０００３】
【特許文献１】特開２００５−３０３７６５号公報
【発明の概要】
【発明が解決しようとする課題】
【０００４】
しかしながら、上記関連技術では、第１の通信と干渉を起こさないホッピングパタンが事前に登録されている必要があり、第１の通信と干渉を起こさないホッピングパタンが事前に登録されていない場合には、干渉が発生してしまう可能性がある。
【０００５】
本開示の目的は、複数の無線通信方式の間の干渉を防止することができる、制御装置、無線通信装置、使用チャネル決定方法、及び制御プログラムを提供することにある。
【課題を解決するための手段】
【０００６】
第１の態様にかかる制御装置は、第１無線通信方式に対応し、且つ、所定の周波数帯に含まれる複数の第１無線チャネルのうちでホッピングさせた第１使用チャネルを用いて無線通信する第１無線部と、第２無線通信方式に対応し且つ第２使用チャネルを用いて無線通信する第２無線部と、を具備する無線通信装置における、前記第２使用チャネルを決定する制御装置であって、前記複数の第１無線チャネルに関する情報、及び、前記第２無線通信方式に対応し且つ前記所定の周波数帯に含まれる複数の第２無線チャネルに関する情報を取得する取得部と、前記取得部によって取得された情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成する形成部と、前記複数の仮想チャネルのうちで使用仮想チャネルを選択する周波数ホッピングパタンを、パタン決定パラメータに基づいて算出するホッピングパタン算出部と、前記算出された周波数ホッピングパタンと前記形成された対応関係とに基づいて、前記第２使用チャネルを決定する使用チャネル決定部と、を具備する。
【０００７】
第２の態様にかかる無線通信装置は、第１無線通信方式に対応し、且つ、所定の周波数帯に含まれる複数の第１無線チャネルのうちでホッピングさせた第１使用チャネルを用いて無線通信する第１無線部と、第２無線通信方式に対応し且つ第２使用チャネルを用いて無線通信する第２無線部と、前記複数の第１無線チャネルに関する情報、及び、前記第２無線通信方式に対応し且つ前記所定の周波数帯に含まれる複数の第２無線チャネルに関する情報を記憶する記憶部と、前記記憶部に記憶されている情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成する形成部と、前記複数の仮想チャネルのうちで使用仮想チャネルを選択する周波数ホッピングパタンを、パタン決定パラメータに基づいて算出するホッピングパタン算出部と、前記算出された周波数ホッピングパタンと前記対応関係とに基づいて、前記第２使用チャネルを決定する使用チャネル決定部と、を具備する。
【０００８】
第３の態様にかかる使用チャネル決定方法は、第１無線通信方式に対応し、且つ、所定の周波数帯に含まれる複数の第１無線チャネルのうちでホッピングさせた第１使用チャネルを用いて無線通信する第１無線部と、第２無線通信方式に対応し且つ第２使用チャネルを用いて無線通信する第２無線部と、を具備する無線通信装置における、前記第２使用チャネルを決定する制御装置によって実行される、使用チャネル決定方法であって、前記複数の第１無線チャネルに関する情報、及び、前記第２無線通信方式に対応し且つ前記所定の周波数帯に含まれる複数の第２無線チャネルに関する情報を取得し、前記取得された情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成し、前記複数の仮想チャネルのうちで使用仮想チャネルを選択する周波数ホッピングパタンを、パタン決定パラメータに基づいて算出し、前記算出された周波数ホッピングパタンと前記形成された対応関係とに基づいて、前記第２使用チャネルを決定する。
【０００９】
第４の態様にかかる制御プログラムは、第１無線通信方式に対応し、且つ、所定の周波数帯に含まれる複数の第１無線チャネルのうちでホッピングさせた第１使用チャネルを用いて無線通信する第１無線部と、第２無線通信方式に対応し且つ第２使用チャネルを用いて無線通信する第２無線部と、を具備する無線通信装置における、前記第２使用チャネルを決定する制御装置に、前記複数の第１無線チャネルに関する情報、及び、前記第２無線通信方式に対応し且つ前記所定の周波数帯に含まれる複数の第２無線チャネルに関する情報を取得し、前記取得された情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成し、前記複数の仮想チャネルのうちで使用仮想チャネルを選択する周波数ホッピングパタンを、パタン決定パラメータに基づいて算出し、前記算出された周波数ホッピングパタンと前記形成された対応関係とに基づいて、前記第２使用チャネルを決定する、処理を、実行させる。
【発明の効果】
【００１０】
本開示により、複数の無線通信方式の間の干渉を防止することができる、制御装置、無線通信装置、使用チャネル決定方法、及び制御プログラムを提供することができる。
【図面の簡単な説明】
【００１１】
【図１】第１実施形態の制御装置を含む無線通信装置の一例を示すブロック図である。
【図２】第２実施形態の通信システムの一例を示す図である。
【図３】第２実施形態の第１の無線通信装置の一例を示すブロック図である。
【図４】ＢＬＥ（Ｂｌｕｅｔｏｏｔｈ  Ｌｏｗ  Ｅｎｅｒｇｙ（登録商標））で用いられる複数のチャネルの説明に供する図である。
【図５】クラシックＢｌｕｅｔｏｏｔｈ（登録商標）で用いられる複数のチャネルの説明に供する図である。
【図６】第２実施形態のコンテンツ管理テーブルの一例を示す図である。
【図７】第２実施形態の第２無線チャネルと仮想チャネルとの関係を示す図である。
【図８】第２実施携帯の対応関係テーブルの一例を示す図である。
【図９】第２実施形態の第２の無線通信装置の一例を示すブロック図である。
【図１０】第２実施形態の第１の無線通信装置の処理動作の一例を示すフローチャートである。
【図１１】第２実施形態の第２の無線通信装置の処理動作の一例を示すフローチャートである。
【図１２】第２実施形態の第１の無線通信装置と第２の無線通信装置との間の信号の送受信を示すシーケンス図である。
【図１３】制御装置のハードウェア構成例を示す図である。
【発明を実施するための形態】
【００１２】
以下、図面を参照しつつ、実施形態について説明する。なお、実施形態において、同一又は同等の要素には、同一の符号を付し、重複する説明は省略される。
【００１３】
＜第１実施形態＞
＜無線通信装置の構成例＞
図１は、第１実施形態の制御装置を含む無線通信装置の一例を示すブロック図である。図１において、無線通信装置１０は、無線部１１と、無線部１２と、記憶部１３と、制御部（制御装置）１４とを有している。
【００１４】
無線部１１は、「第１無線通信方式」に対応する。「第１無線通信方式」には、「所定の周波数帯」における周波数ホッピングが適用される。具体的には、無線部１１は、「第１無線通信方式」に対応し且つ「所定の周波数帯」に含まれる「複数の第１無線チャネル」のうちでホッピングさせた「第１使用チャネル」を用いて無線通信する。
【００１５】
無線部１２は、「第１無線通信方式」と異なる「第２無線通信方式」に対応する。無線部１２は、「第２使用チャネル」を用いて無線通信する。「第２無線通信方式」には、「所定の周波数帯」における周波数ホッピングが適用される。
【００１６】
記憶部１３は、上記の「複数の第１無線チャネル」に関する情報、及び、第２無線通信方式に対応し且つ所定の周波数帯に含まれる「複数の第２無線チャネル」に関する情報を記憶している。例えば、「複数の第１無線チャネル」に関する情報は、各第１無線チャネルの周波数に関する情報を含む。また、「複数の第２無線チャネル」に関する情報は、各第２無線チャネルの周波数に関する情報を含む。
【００１７】
制御部（制御装置）１４は、取得部１４Ａと、形成部１４Ｂと、ホッピングパタン算出部１４Ｃと、使用チャネル決定部１４Ｄとを有している。
【００１８】
取得部１４Ａは、記憶部１３から、上記の「複数の第１無線チャネル」に関する情報、及び、上記の「複数の第２無線チャネル」に関する情報を取得する。
【００１９】
形成部１４Ｂは、取得部１４Ａで取得された情報に基づいて、「複数の仮想チャネル」と「複数の第２無線チャネル」との「対応関係」を形成する。例えば、形成部１４Ｂは、取得部１４Ａで取得された情報に基づいて、複数の第２無線チャネルのうちの複数の第１無線チャネルと重なる「重畳チャネル」を複数の第２無線チャネルから除いた「複数の非重畳チャネル」を特定する。そして、形成部１４Ｂは、特定した「複数の非重畳チャネル」を、上記の「所定の周波数帯」から上記の「重畳チャネル」の周波数帯を除いた「仮想帯域」に分散させることにより、「複数の仮想チャネル」を算出する。そして、形成部１４Ｂは、算出した「複数の仮想チャネル」と各仮想チャネルに対応する元の第２無線チャネルとを対応付けて、「対応関係」を形成する。
【００２０】
ホッピングパタン算出部１４Ｃは、「複数の仮想チャネル」のうちで「使用仮想チャネル」を選択するための「仮想帯域における周波数ホッピングパタン」を、「パタン決定パラメータ」に基づいて算出する。「パタン決定パラメータ」は、例えば、無線通信装置１０の識別情報（例えば、ＭＡＣアドレス）又はクロック数である。
【００２１】
使用チャネル決定部１４Ｄは、ホッピングパタン算出部１４Ｃにて算出された「仮想帯域における周波数ホッピングパタン」と形成部１４Ｂにて形成された対応関係とに基づいて、「第２使用チャネル」を決定する。すなわち、「使用仮想チャネル」は、「仮想帯域における周波数ホッピングパタン」に基づいて、「複数の仮想チャネル」において順次変わる。このため、使用チャネル決定部１４Ｄは、順次変わる使用仮想チャネルと「対応関係」において対応付けられている第２無線チャネルを、「第２使用チャネル」として決定する。
【００２２】
以上のように第１実施形態によれば、制御部（制御装置）１４において、形成部１４Ｂは、取得部１４Ａで取得された情報に基づいて、「複数の仮想チャネル」と「複数の第２無線チャネル」との「対応関係」を形成する。「複数の仮想チャネル」は、複数の第２無線チャネルのうちの第１無線チャネルと重なる重畳チャネルを複数の第２無線チャネルから除いた複数の非重畳チャネルを、所定の周波数帯から重畳チャネルの周波数帯を除いた仮想帯域に分散させたチャネルである。そして、ホッピングパタン算出部１４Ｃは、「複数の仮想チャネル」のうちで「使用仮想チャネル」を選択するための「仮想帯域における周波数ホッピングパタン」を、「パタン決定パラメータ」に基づいて算出する。そして、使用チャネル決定部１４Ｄは、算出された「仮想帯域における周波数ホッピングパタン」と形成された対応関係とに基づいて、「第２使用チャネル」を決定する。「第２使用チャネル」は、無線部１２によって無線通信に用いられるチャネルである。
【００２３】
この制御部（制御装置）１４の構成により、「第１無線通信方式」と干渉しない「第２無線通信方式」のホッピングパタンが事前登録されていない場合でも、「第１無線通信方式」と干渉しない「第２無線通信方式」のホッピングパタンを算出することができる。そして、算出された「第２無線通信方式」のホッピングパタンを用いて、「第１無線通信方式」と干渉しない「第２使用チャネル」を決定することができる。これにより、「第１無線通信方式」と「第２無線通信方式」との干渉を確実に防止することができる。
【００２４】
＜第２実施形態＞
＜通信システムの概要＞
図２は、第２実施形態の通信システムの一例を示す図である。図２において通信システム２０は、無線通信装置３０と、無線通信装置４０とを有している。以下では、無線通信装置３０が、「電子広告装置」であり、無線通信装置４０が、「無線端末」であるものとして説明する。また、以下では、無線通信装置３０を「第１の無線通信装置」と呼び、無線通信装置４０を「第２の無線通信装置」と呼ぶことがある。
【００２５】
無線通信装置（電子広告装置）３０は、広告コンテンツを表示部（図示せず）に表示すると共に、表示している広告コンテンツの識別情報（広告ＩＤ）をブロードキャストする。
【００２６】
無線通信装置（無線端末）４０は、広告ＩＤを受信すると、該広告ＩＤに対応する広告コンテンツの取得に用いる取得ボタンを表示部（図示せず）に表示する。そして、無線通信装置４０は、ユーザの操作によって取得ボタンが押されると、広告ＩＤを含む「コンテンツ取得要求」を無線通信装置３０へ送信する。
【００２７】
無線通信装置（電子広告装置）３０は、「コンテンツ取得要求」を受信すると、該「コンテンツ取得要求」に含まれる広告ＩＤに対応する広告コンテンツのデータを、無線通信装置４０へ送信する。
【００２８】
＜第１の無線通信装置の構成例＞
図３は、第２実施形態の第１の無線通信装置の一例を示すブロック図である。図３において無線通信装置３０は、無線部３１と、無線部３２と、記憶部３３と、制御部（制御装置）３４と、表示部３５とを有している。
【００２９】
無線部３１は、第１実施形態の無線部１１と同じ構成を有している。以下では、「第１無線通信方式」は、ＢＬＥ（Ｂｌｕｅｔｏｏｔｈ  Ｌｏｗ  Ｅｎｅｒｇｙ（登録商標））であるものとして説明する。
【００３０】
図４は、ＢＬＥ（Ｂｌｕｅｔｏｏｔｈ  Ｌｏｗ  Ｅｎｅｒｇｙ（登録商標））で用いられる複数のチャネルの説明に供する図である。図４に示すように、ＢＬＥでは、２．４ＧＨｚ帯を周波数分割した複数のチャネルのうち、ビーコンの送信に３つのチャネルＣＨ３７，ＣＨ３８，ＣＨ３９（Advertise  Channel）が用いられる。このビーコンには、上記の広告ＩＤが含められる。この２．４ＧＨｚ帯の３つのチャネルＣＨ３７，ＣＨ３８，ＣＨ３９が、上記の「所定の周波数帯」に含まれる「複数の第１無線チャネル」に対応する。すなわち、無線部３１は、３つのチャネルＣＨ３７，ＣＨ３８，ＣＨ３９のうちでホッピングさせた「第１使用チャネル」を用いて無線通信する。
【００３１】
図３の説明に戻り、無線部３２は、第１実施形態の無線部１２と同じ構成を有している。以下では、「第２無線通信方式」は、クラシックＢｌｕｅｔｏｏｔｈ（登録商標）であるものとして説明する。クラシックＢｌｕｅｔｏｏｔｈ（登録商標）は、Ｂｌｕｅｔｏｏｔｈ（登録商標）規格において、Ｖ３．０までに策定された無線通信方式である。
【００３２】
図５は、クラシックＢｌｕｅｔｏｏｔｈ（登録商標）で用いられる複数のチャネルの説明に供する図である。図５に示すように、クラシックＢｌｕｅｔｏｏｔｈ（登録商標）では、ＩＳＭ帯域（2.402GHz〜2.480GHz）において７９個のチャネルが存在する。この７９個のチャネルが、上記の「複数の第２無線チャネル」に対応する。そして、ＢＬＥのチャネルＣＨ３７，ＣＨ３８，ＣＨ３９はこのＩＳＭ帯域に含まれており、クラシックＢｌｕｅｔｏｏｔｈ（登録商標）のチャネルＣＨ０，２５，７９は、ＢＬＥのチャネルＣＨ３７，ＣＨ３８，ＣＨ３９と周波数軸上で重なっている。すなわち、クラシックＢｌｕｅｔｏｏｔｈ（登録商標）のチャネルＣＨ０，２５，７９は、ＢＬＥのチャネルＣＨ３７，ＣＨ３８，ＣＨ３９と重なる「重畳チャネル」である。ここで、クラシックＢｌｕｅｔｏｏｔｈ（登録商標）の１つのチャネルのチャネル帯域幅は１ＭＨｚであり、ＢＬＥの１つのチャネルのチャネル帯域幅は、２ＭＨｚである。
【００３３】
図３の説明に戻り、記憶部３３は、第１実施形態の記憶部１３と同様に、上記の「複数の第１無線チャネル」に関する情報、及び、第２無線通信方式に対応し且つ所定の周波数帯に含まれる「複数の第２無線チャネル」に関する情報を記憶している。
【００３４】
また、記憶部３３は、「コンテンツ管理テーブル」を記憶している。図６は、第２実施形態のコンテンツ管理テーブルの一例を示す図である。図６のコンテンツ管理テーブルは、複数のコンテンツＩＤと、各コンテンツＩＤに対応する広告コンテンツのファイルが格納されている記憶領域へのパス情報と、各コンテンツＩＤに対応する広告コンテンツの配信データとを対応付けて保持している。
【００３５】
図３の説明に戻り、制御部（制御装置）３４は、取得部３４Ａと、形成部３４Ｂと、ホッピングパタン算出部３４Ｃと、使用チャネル決定部３４Ｄと、表示制御部３４Ｅと、通信制御部３４Ｆとを有している。
【００３６】
表示制御部３４Ｅは、「コンテンツ管理テーブル」を参照して表示部３５に表示される広告コンテンツを順次切り替えて、広告コンテンツを表示部３５に表示させる制御を実行する。
【００３７】
通信制御部３４Ｆは、無線部３１に対して、表示部３５に表示中の広告コンテンツの広告ＩＤを含むビーコンをブロードキャストさせる。また、通信制御部３４Ｆは、ビーコンを受信した無線通信装置４０から送信された「パラメータ取得要求（スキャン要求）」を、無線部３１を介して受信した場合、無線部３１に対して「パタン決定パラメータ」を含めた「応答信号（スキャン応答）」を送信させる。この「パタン決定パラメータ」は、例えば、無線通信装置３０のＭＡＣアドレス及びＢｌｕｅｔｏｏｔｈ（登録商標）クロック値である。この「パタン決定パラメータ」が無線通信装置４０へ送信されることにより、無線通信装置４０は、第２無線通信方式の「仮想帯域における周波数ホッピングパタン」を算出することができる。
【００３８】
また、通信制御部３４Ｆは、無線通信装置４０から「仮想帯域における周波数ホッピングパタン」に基づく「第２使用チャネル」を用いて送信された「コンテンツ取得要求」を無線部３２を介して受信した場合、配信データを無線部３２を介して送信する。この送信される配信データは、「コンテンツ取得要求」に含まれる広告ＩＤと上記の「コンテンツ管理テーブル」において対応付けられている配信データである。ここで、通信制御部３４Ｆは、無線部３２に対して、使用チャネル決定部３４Ｄで決定された「第２使用チャネル」を用いて無線通信させる。
【００３９】
取得部３４Ａは、第１実施形態の取得部１４Ａと同様に、記憶部３３から、上記の「複数の第１無線チャネル」に関する情報、及び、上記の「複数の第２無線チャネル」に関する情報を取得する。
【００４０】
形成部３４Ｂは、第１実施形態の形成部１４Ｂと同様に、取得部３４Ａで取得された情報に基づいて、「複数の仮想チャネル」と「複数の第２無線チャネル」との「対応関係」を形成する。
【００４１】
すなわち、形成部３４Ｂは、取得部３４Ａで取得された情報に基づいて、複数の第２無線チャネルのうちの複数の第１無線チャネルと重なる「重畳チャネル」を複数の第２無線チャネルから除いた「複数の非重畳チャネル」を特定する。ここでは、上記の通り、クラシックＢｌｕｅｔｏｏｔｈ（登録商標）のチャネルＣＨ０，２５，７９が「重畳チャネル」である。このため、「複数の非重畳チャネル」は、クラシックＢｌｕｅｔｏｏｔｈ（登録商標）の７９個のチャネルからチャネルＣＨ０，２５，７９を除いた７６個のチャネルである。
【００４２】
そして、形成部３４Ｂは、特定した「複数の非重畳チャネル」を、上記の「所定の周波数帯」から上記の「重畳チャネル」の周波数帯を除いた「仮想帯域」に分散させることにより、「複数の仮想チャネル」を算出する。ここで、上記の通り、「所定の周波数帯」は、ＩＳＭ帯域（2.402GHz〜2.480GHz）であり、クラシックＢｌｕｅｔｏｏｔｈ（登録商標）のチャネル帯域幅は、１ＭＨｚである。このため、ＩＳＭ帯域（2.402GHz〜2.480GHz）から、「重畳チャネル」である３つのチャネルＣＨ０，２５，７９の帯域幅（つまり、３ＭＨｚ）を除いた帯域（2.402GHz〜2.477GHz）が、上記の「仮想帯域」となる。形成部３４Ｂは、この「仮想帯域」に７６個の「非重畳チャネル」を分散させることにより、７６個の「仮想チャネル」を算出する。図７は、第２実施形態の第２無線チャネルと仮想チャネルとの関係を示す図である。
【００４３】
そして、形成部３４Ｂは、算出した「複数の仮想チャネル」と各仮想チャネルに対応する元の第２無線チャネルとを対応付けて、「対応関係」を形成する。図８は、第２実施携帯の対応関係テーブルの一例を示す図である。図８の対応関係テーブルにおいて、「実チャネル」は、「第２無線チャネル」に対応する。図８の対応関係テーブルに示されるように、仮想チャネルには、「重畳チャネル」である実チャネルＣＨ０，２５，７９に対応するチャネルは含まれていない。
【００４４】
ホッピングパタン算出部３４Ｃは、第１実施形態のホッピングパタン算出部１４Ｃと同様に、「複数の仮想チャネル」のうちで「使用仮想チャネル」を選択するための「仮想帯域における周波数ホッピングパタン」を、「パタン決定パラメータ」に基づいて算出する。例えば、ホッピングパタン算出部３４Ｃは、アルゴリズム（BarkerやM-Sequenceなど）により生成される擬似ノイズ(Pseudo Noise: PN)を用い、且つ、「パタン決定パラメータ」を初期パラメータとして用いることにより、周波数ホッピングパタンを算出する。
【００４５】
使用チャネル決定部３４Ｄは、第１実施形態の使用チャネル決定部１４Ｄと同様に、算出された「仮想帯域における周波数ホッピングパタン」と形成された対応関係とに基づいて、「第２使用チャネル」を決定する。
【００４６】
＜第２の無線通信装置の構成例＞
図９は、第２実施形態の第２の無線通信装置の一例を示すブロック図である。図９において無線通信装置４０は、無線部４１と、無線部４２と、記憶部４３と、制御部（制御装置）４４と、表示部４５と、操作部４６とを有している。
【００４７】
無線部４１は、第１実施形態の無線部１１と同じ構成を有している。
【００４８】
無線部４２は、第１実施形態の無線部１２と同じ構成を有している。
【００４９】
記憶部４３は、記憶部３３は、第１実施形態の記憶部１３と同様に、上記の「複数の第１無線チャネル」に関する情報、及び、第２無線通信方式に対応し且つ所定の周波数帯に含まれる「複数の第２無線チャネル」に関する情報を記憶している。
【００５０】
制御部（制御装置）４４は、図４に示すように、取得部４４Ａと、形成部４４Ｂと、ホッピングパタン算出部４４Ｃと、使用チャネル決定部４４Ｄと、表示制御部４４Ｅと、通信制御部４４Ｆとを有している。
【００５１】
通信制御部４４Ｆは、無線通信装置３０から送信されたビーコンを、無線部４１を介して受信すると、無線部４１に対して、「パラメータ取得要求（スキャン要求）」を無線通信装置３０へ送信させる。
【００５２】
また、通信制御部４４Ｆは、「パラメータ取得要求（スキャン要求）」に対する「応答信号（スキャン応答）」を、無線部４１を介して受信すると、「応答信号（スキャン応答）」に含まれる「パタン決定パラメータ」をホッピングパタン算出部４４Ｃへ渡す。
【００５３】
また、通信制御部４４Ｆは、無線部４２に対して、使用チャネル決定部４４Ｄにて決定された「第２使用チャネル」を用いて、「コンテンツ取得要求」を無線通信装置３０へ送信させる。通信制御部４４Ｆは、表示制御部４４Ｅによって表示部４５に表示された「取得ボタン」がユーザの操作部４６に対する操作によって押されたときに、「コンテンツ取得要求」を送信する。「取得ボタン」は、受信されたビーコンに含まれた広告ＩＤに対応する広告コンテンツの配信データの取得に用いるボタンである。
【００５４】
また、通信制御部４４Ｆは、無線通信装置３０から送信された配信データを、無線部４２を介して受信すると、該配信データを表示制御部４４Ｅへ渡す。これにより、表示制御部４４Ｅの制御によって、配信データが表示部４５に表示されることになる。
【００５５】
取得部４４Ａは、第１実施形態の取得部１４Ａと同様に、記憶部４３から、上記の「複数の第１無線チャネル」に関する情報、及び、上記の「複数の第２無線チャネル」に関する情報を取得する。
【００５６】
形成部４４Ｂは、第１実施形態の形成部１４Ｂと同様に、取得部４４Ａで取得された情報に基づいて、「複数の仮想チャネル」と「複数の第２無線チャネル」との「対応関係」を形成する。
【００５７】
ホッピングパタン算出部４４Ｃは、第１実施形態のホッピングパタン算出部１４Ｃと同様に、「複数の仮想チャネル」のうちで「使用仮想チャネル」を選択するための「仮想帯域における周波数ホッピングパタン」を、「パタン決定パラメータ」に基づいて算出する。この「パタン決定パラメータ」は、上記の通り、通信制御部４４Ｆから渡されたものである。
【００５８】
使用チャネル決定部４４Ｄは、第１実施形態の使用チャネル決定部１４Ｄと同様に、算出された「仮想帯域における周波数ホッピングパタン」と形成された対応関係とに基づいて、「第２使用チャネル」を決定する。
【００５９】
＜通信システムの動作例＞
以上の構成を有する通信システム２０の処理動作の一例について説明する。図１０は、第２実施形態の第１の無線通信装置の処理動作の一例を示すフローチャートである。図１１は、第２実施形態の第２の無線通信装置の処理動作の一例を示すフローチャートである。図１２は、第２実施形態の第１の無線通信装置と第２の無線通信装置との間の信号の送受信を示すシーケンス図である。
【００６０】
無線通信装置３０にて表示制御部３４Ｅは、広告コンテンツを表示部３５に表示させる制御を実行する（ステップＳ１０１）。上記の通り、表示制御部３４Ｅは、「コンテンツ管理テーブル」を参照して表示部３５に表示される広告コンテンツを順次切り替える。
【００６１】
無線通信装置３０にて通信制御部３４Ｆは、無線部３１に対して、表示部３５に表示中の広告コンテンツの広告ＩＤを含むビーコンをブロードキャストさせる（ステップＳ１０２、ステップＳ３０１）。すなわち、通信制御部３４Ｆは、表示部３５に表示中の広告コンテンツの広告ＩＤを含むビーコンを第１無線通信方式で送信する。
【００６２】
このとき、無線通信装置４０にて通信制御部４４Ｆは、ビーコンを、第１無線通信方式を介して（つまり、無線部４１を介して）受信するまで待っている（ステップＳ２０１ＮＯ）。
【００６３】
ビーコンを第１無線通信方式を介して受信すると（ステップＳ２０１ＹＥＳ、ステップＳ３０１）、通信制御部４４Ｆは、第１無線通信方式を介して「パラメータ取得要求（スキャン要求）」を送信する（ステップＳ２０２、ステップＳ３０２）。
【００６４】
このとき、無線通信装置３０にて通信制御部３４Ｆは、「パラメータ取得要求（スキャン要求）」を、第１無線通信方式を介して（つまり、無線部３１を介して）受け取るまで待っている（ステップＳ１０３ＮＯ）。
【００６５】
「パラメータ取得要求」を、第１無線通信方式を介して受信すると（ステップＳ１０３ＹＥＳ）、通信制御部３４Ｆは、「応答信号（スキャン応答）」を、第１無線通信方式を介して送信する（ステップＳ１０４、ステップＳ３０３）。
【００６６】
このとき、無線通信装置４０にて通信制御部４４Ｆは、「応答信号（スキャン応答）」を、第１無線通信方式を介して受信するまで待っている（ステップＳ２０３ＮＯ）。
【００６７】
無線通信装置４０にて取得部４４Ａは、「応答信号（スキャン応答）」が第１無線通信方式を介して受信されると（ステップＳ２０３ＹＥＳ）、「複数の第１無線チャネル」に関する情報、及び、「複数の第２無線チャネル」に関する情報を取得する（ステップＳ２０４）。形成部４４Ｂは、取得部４４Ａで取得された情報に基づいて、「複数の仮想チャネル」と「複数の第２無線チャネル」との「対応関係」を形成する（ステップＳ２０５）。ホッピングパタン算出部４４Ｃは、「複数の仮想チャネル」のうちで「使用仮想チャネル」を選択するための「仮想帯域における周波数ホッピングパタン」を、「応答信号」に含まれている「パタン決定パラメータ」に基づいて算出する（ステップＳ２０６）。使用チャネル決定部４４Ｄは、算出された「仮想帯域における周波数ホッピングパタン」と形成された対応関係とに基づいて、「第２使用チャネル」を決定する（ステップＳ２０７）。そして、無線通信装置４０と無線通信装置３０との間で「ペアリング」が開始される（ステップＳ３０４）。
【００６８】
無線通信装置４０にて表示制御部４４Ｅは、表示部４５に「取得ボタン」を表示させる（ステップＳ２０８）。通信制御部４４Ｆは、「取得ボタン」が操作されるまで待ち（ステップＳ２０９ＮＯ）、「取得ボタン」が操作されると（ステップＳ２０９ＹＥＳ）、決定された「第２使用チャネル」を用いてコンテンツ取得要求を送信する（ステップＳ２１０、ステップＳ３０５）。
【００６９】
一方で、上記の「ペアリング」が開始されると、無線通信装置３０にて取得部３４Ａは、「複数の第１無線チャネル」に関する情報、及び、「複数の第２無線チャネル」に関する情報を取得する（ステップＳ１０５）。形成部３４Ｂは、取得部３４Ａで取得された情報に基づいて、「複数の仮想チャネル」と「複数の第２無線チャネル」との「対応関係」を形成する（ステップＳ１０６）。ホッピングパタン算出部３４Ｃは、「複数の仮想チャネル」のうちで「使用仮想チャネル」を選択するための「仮想帯域における周波数ホッピングパタン」を、「応答信号」に含まれている「パタン決定パラメータ」に基づいて算出する（ステップＳ１０７）。使用チャネル決定部３４Ｄは、算出された「仮想帯域における周波数ホッピングパタン」と形成された対応関係とに基づいて、「第２使用チャネル」を決定する（ステップＳ１０８）。
【００７０】
無線通信装置３０にて通信制御部３４Ｆは、「コンテンツ取得要求」を「第２使用チャネル」で受信するまで待つ（ステップＳ１０９ＮＯ）。「コンテンツ取得要求」を「第２使用チャネル」で受信すると（ステップＳ１０９ＹＥＳ）、通信制御部３４Ｆは、「コンテンツ取得要求」に含まれる広告ＩＤと「コンテンツ管理テーブル」にて対応付けられている配信データを、「第２使用チャネル」を用いて送信する（ステップＳ１１０、ステップＳ３０６）。
【００７１】
このとき、無線通信装置４０にて通信制御部４４Ｆは、「第２使用チャネル」で「配信データ」を受信するまで待っている（ステップＳ２１１ＮＯ）。「第２使用チャネル」で「配信データ」が受信されると（ステップＳ２１１ＹＥＳ）、表示制御部４４Ｅは、受信された配信データを表示部４５に表示させる（ステップＳ２１２）。
【００７２】
以上のように第２実施形態によれば、無線通信装置３０の制御部（制御装置）３４及び無線通信装置４０の制御部（制御装置）４４のそれぞれにおいて、「第１無線通信方式」と干渉しない「第２無線通信方式」のホッピングパタンを算出することができる。そして、無線通信装置３０の制御部（制御装置）３４及び無線通信装置４０の制御部（制御装置）４４の各々にて、算出された「第２無線通信方式」のホッピングパタンを用いて、「第１無線通信方式」と干渉しない「第２使用チャネル」を決定することができる。そして、無線通信装置３０と無線通信装置４０とは、この決定された「第２使用チャネル」を用いて、互いに無線通信することができる。
【００７３】
＜他の実施形態＞
図１３は、制御装置のハードウェア構成例を示す図である。図１３において制御装置１００は、プロセッサ１０１と、メモリ１０２とを有している。第１実施形態及び第２実施形態の制御部（制御装置）１４，３４，４４は、プロセッサ１０１がメモリ１０２に記憶されたプログラムを読み込んで実行することにより実現されてもよい。プログラムは、様々なタイプの非一時的なコンピュータ可読媒体（non-transitory computer readable medium）を用いて格納され、制御部（制御装置）１４，３４，４４に供給することができる。また、プログラムは、様々なタイプの一時的なコンピュータ可読媒体（transitory computer readable medium）によって制御部（制御装置）１４，３４，４４に供給されてもよい。
【００７４】
以上、実施の形態を参照して本願発明を説明したが、本願発明は上記によって限定されるものではない。本願発明の構成や詳細には、発明のスコープ内で当業者が理解し得る様々な変更をすることができる。
【００７５】
上記の実施形態の一部又は全部は、以下の付記のようにも記載されうるが、以下には限られない。
【００７６】
（付記１）
第１無線通信方式に対応し、且つ、所定の周波数帯に含まれる複数の第１無線チャネルのうちでホッピングさせた第１使用チャネルを用いて無線通信する第１無線部と、第２無線通信方式に対応し且つ第２使用チャネルを用いて無線通信する第２無線部と、を具備する無線通信装置における、前記第２使用チャネルを決定する制御装置であって、
前記複数の第１無線チャネルに関する情報、及び、前記第２無線通信方式に対応し且つ前記所定の周波数帯に含まれる複数の第２無線チャネルに関する情報を取得する取得部と、
前記取得部によって取得された情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成する形成部と、
前記複数の仮想チャネルのうちで使用仮想チャネルを選択する周波数ホッピングパタンを、パタン決定パラメータに基づいて算出するホッピングパタン算出部と、
前記算出された周波数ホッピングパタンと前記形成された対応関係とに基づいて、前記第２使用チャネルを決定する使用チャネル決定部と、
を具備する制御装置。
【００７７】
（付記２）
前記第１無線部に対して、コンテンツを識別するコンテンツ識別情報を送信させ、且つ、前記送信されたコンテンツ識別情報を受信した他の無線通信装置から送信された、前記パタン決定パラメータについての取得要求を、前記第１無線部を介して受信した場合、前記他の無線通信装置に前記周波数ホッピングパタンを算出させるために、前記第１無線部に対して、前記パタン決定パラメータを送信させる、通信制御部、をさらに具備する、
付記１記載の制御装置。
【００７８】
（付記３）
前記通信制御部は、前記他の無線通信装置から前記周波数ホッピングパタンに基づく前記第２使用チャネルを用いて送信された、コンテンツ識別情報を含むコンテンツ取得要求を、前記第２無線部を介して受信した場合、前記コンテンツ取得要求に含まれるコンテンツ識別情報に対応するコンテンツのデータを、前記第２無線部に対して送信させる、
付記２記載の制御装置。
【００７９】
（付記４）
前記パタン決定パラメータは、前記無線通信装置の識別情報又はクロック数である、
付記１から３のいずれか１項に記載の制御装置。
【００８０】
（付記５）
コンテンツを識別するコンテンツ識別情報を、前記第１無線部を介して受信した場合、前記第１無線部に対して、前記コンテンツ識別情報の送信元通信装置に対する、前記パタン決定パラメータについての取得要求を送信させる、通信制御部をさらに具備し、
前記ホッピングパタン算出部は、前記取得要求に応じて前記送信元通信装置から送信されたパタン決定パラメータに基づいて、前記周波数ホッピングパタンを算出する、
付記１記載の制御装置。
【００８１】
（付記６）
前記通信制御部は、前記コンテンツ識別情報を含むコンテンツ取得要求を、前記第２無線部に対して、前記決定された第２使用チャネルを用いて送信させる、
付記５記載の制御装置。
【００８２】
（付記７）
前記パタン決定パラメータは、前記送信元通信装置の識別情報又はクロック数である、
付記５又は６に記載の制御装置。
【００８３】
（付記８）
前記第１無線通信方式は、ＢＬＥ（Ｂｌｕｅｔｏｏｔｈ  Ｌｏｗ  Ｅｎｅｒｇｙ（登録商標））であり、
前記第２無線通信方式は、クラシックＢｌｕｅｔｏｏｔｈ（登録商標）である、
付記１から７のいずれか１項に記載の制御装置。
【００８４】
（付記９）
第１無線通信方式に対応し、且つ、所定の周波数帯に含まれる複数の第１無線チャネルのうちでホッピングさせた第１使用チャネルを用いて無線通信する第１無線部と、
第２無線通信方式に対応し且つ第２使用チャネルを用いて無線通信する第２無線部と、
前記複数の第１無線チャネルに関する情報、及び、前記第２無線通信方式に対応し且つ前記所定の周波数帯に含まれる複数の第２無線チャネルに関する情報を記憶する記憶部と、
前記記憶部に記憶されている情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成する形成部と、
前記複数の仮想チャネルのうちで使用仮想チャネルを選択する周波数ホッピングパタンを、パタン決定パラメータに基づいて算出するホッピングパタン算出部と、
前記算出された周波数ホッピングパタンと前記対応関係とに基づいて、前記第２使用チャネルを決定する使用チャネル決定部と、
を具備する無線通信装置。
【００８５】
（付記１０）
前記第１無線部に対して、コンテンツを識別するコンテンツ識別情報を送信させ、且つ、前記送信されたコンテンツ識別情報を受信した他の無線通信装置から送信された、前記パタン決定パラメータについての取得要求を、前記第１無線部を介して受信した場合、前記他の無線通信装置に前記周波数ホッピングパタンを算出させるために、前記第１無線部に対して、前記パタン決定パラメータを送信させる、通信制御部、をさらに具備する、
付記９記載の無線通信装置。
【００８６】
（付記１１）
前記通信制御部は、前記他の無線通信装置から前記周波数ホッピングパタンに基づく前記第２使用チャネルを用いて送信された、コンテンツ識別情報を含むコンテンツ取得要求を、前記第２無線部を介して受信した場合、前記コンテンツ取得要求に含まれるコンテンツ識別情報に対応するコンテンツのデータを、前記第２無線部に対して送信させる、
付記１０記載の無線通信装置。
【００８７】
（付記１２）
前記パタン決定パラメータは、前記無線通信装置の識別情報又はクロック数である、
付記９から１１のいずれか１項に記載の無線通信装置。
【００８８】
（付記１３）
コンテンツを識別するコンテンツ識別情報を、前記第１無線部を介して受信した場合、前記コンテンツ識別情報の送信元通信装置に対する、前記パタン決定パラメータについての取得要求を、前記第１無線部に対して送信させる、通信制御部をさらに具備し、
前記ホッピングパタン算出部は、前記取得要求に応じて前記送信元通信装置から送信されたパタン決定パラメータに基づいて、前記周波数ホッピングパタンを算出する、
付記９記載の無線通信装置。
【００８９】
（付記１４）
前記通信制御部は、前記コンテンツ識別情報を含むコンテンツ取得要求を、前記第２無線部に対して、前記決定された第２使用チャネルを用いて送信させる、
付記１３記載の無線通信装置。
【００９０】
（付記１５）
前記パタン決定パラメータは、前記送信元通信装置の識別情報又はクロック数である、
付記１３又は１４に記載の無線通信装置。
【００９１】
（付記１６）
前記第１無線通信方式は、ＢＬＥ（Ｂｌｕｅｔｏｏｔｈ  Ｌｏｗ  Ｅｎｅｒｇｙ（登録商標））であり、
前記第２無線通信方式は、クラシックＢｌｕｅｔｏｏｔｈ（登録商標）である、
付記９から１５のいずれか１項に記載の無線通信装置。
【００９２】
（付記１７）
第１無線通信方式に対応し、且つ、所定の周波数帯に含まれる複数の第１無線チャネルのうちでホッピングさせた第１使用チャネルを用いて無線通信する第１無線部と、第２無線通信方式に対応し且つ第２使用チャネルを用いて無線通信する第２無線部と、を具備する無線通信装置における、前記第２使用チャネルを決定する制御装置によって実行される、使用チャネル決定方法であって、
前記複数の第１無線チャネルに関する情報、及び、前記第２無線通信方式に対応し且つ前記所定の周波数帯に含まれる複数の第２無線チャネルに関する情報を取得し、
前記取得された情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成し、
前記複数の仮想チャネルのうちで使用仮想チャネルを選択する周波数ホッピングパタンを、パタン決定パラメータに基づいて算出し、
前記算出された周波数ホッピングパタンと前記形成された対応関係とに基づいて、前記第２使用チャネルを決定する、
使用チャネル決定方法。
【００９３】
（付記１８）
第１無線通信方式に対応し、且つ、所定の周波数帯に含まれる複数の第１無線チャネルのうちでホッピングさせた第１使用チャネルを用いて無線通信する第１無線部と、第２無線通信方式に対応し且つ第２使用チャネルを用いて無線通信する第２無線部と、を具備する無線通信装置における、前記第２使用チャネルを決定する制御装置に、
前記複数の第１無線チャネルに関する情報、及び、前記第２無線通信方式に対応し且つ前記所定の周波数帯に含まれる複数の第２無線チャネルに関する情報を取得し、
前記取得された情報に基づいて、前記複数の第２無線チャネルのうちの前記複数の第１無線チャネルと重なる重畳チャネルを前記複数の第２無線チャネルから除いた複数の非重畳チャネルを、前記所定の周波数帯から前記重畳チャネルの周波数帯を除いた仮想帯域に分散させた、複数の仮想チャネルと、前記複数の第２無線チャネルとの対応関係を形成し、
前記複数の仮想チャネルのうちで使用仮想チャネルを選択する周波数ホッピングパタンを、パタン決定パラメータに基づいて算出し、
前記算出された周波数ホッピングパタンと前記形成された対応関係とに基づいて、前記第２使用チャネルを決定する、
処理を、実行させる制御プログラム。
【符号の説明】
【００９４】
１０  無線通信装置
１１，１２  無線部
１３  記憶部
１４  制御部（制御装置）
１４Ａ  取得部
１４Ｂ  形成部
１４Ｃ  ホッピングパタン算出部
１４Ｄ  使用チャネル決定部
２０  通信システム
３０  無線通信装置（電子広告装置）
３１，３２  無線部
３３  記憶部
３４  制御部（制御装置）
３４Ａ  取得部
３４Ｂ  形成部
３４Ｃ  ホッピングパタン算出部
３４Ｄ  使用チャネル決定部
３４Ｅ  表示制御部
３４Ｆ  通信制御部
３５  表示部
４０  無線通信装置（無線端末）
４１，４２  無線部
４３  記憶部
４４  制御部（制御装置）
４４Ａ  取得部
４４Ｂ  形成部
４４Ｃ  ホッピングパタン算出部
４４Ｄ  使用チャネル決定部
４４Ｅ  表示制御部
４４Ｆ  通信制御部
４５  表示部
４６  操作部
【図１】
2019153990.tif 000003
【図２】
2019153990.tif 000004
【図３】
2019153990.tif 000005
【図４】
2019153990.tif 000006
【図５】
2019153990.tif 000007
【図６】
2019153990.tif 000008
【図７】
2019153990.tif 000009
【図８】
2019153990.tif 000010
【図９】
2019153990.tif 000011
【図１０】
2019153990.tif 000012
【図１１】
2019153990.tif 000013
【図１２】
2019153990.tif 000014
【図１３】
2019153990.tif 000015